(57)【要約】【課題】冠水時に、建物の出入口からその建物内に水が浸入するのを確実に防止すること。【解決手段】建物の出入口の床面Ｆに、その開口幅方向の全体に亘って収納溝１を設け、出入口を開閉する回動式のドアＤの左右のドア枠２、２と一体に形成した支持枠３を収納溝１の両端から起立して設ける。一対の支持枠３、３の間に防水シート４を張設する。ドア枠２と支持枠３を一体に形成することによって、両枠２、３の間から建物内に浸水するという問題を確実に防止することができる。【選択図】図１
2014173238.tif 000002
【特許請求の範囲】
【請求項１】
建物の出入口の床面（Ｆ）に、この出入口の開口幅方向の全体に亘って設けられる収納溝（１）と、前記収納溝（１）の両端から起立して、前記出入口を開閉するドア（Ｄ）のドア枠（２）と隙間なく一体に設けられる一対の支持枠（３、３）と、不使用時に前記収納溝（１）に収納され、使用時に引き上げられて前記一対の支持枠（３、３）の間に張設される防水シート（４）と、を有する浸水防止装置。
【請求項２】
引き上げられた前記防水シート（４）の左右両端部を前記支持枠（３）に押し付けるフレーム（６）と、前記一対の支持枠（３、３）の一方の支持枠（３）側から他方の支持枠（３）側に向かう回動軸（１４）を備え、この回動軸（１４）の回転に伴って前記フレーム（６）を前記防水シート（４）側に付勢するカム部材（１５）と、を有する請求項１に記載の浸水防止装置。
【請求項３】
前記フレーム（６）の下端に起伏機構（１６）が設けられ、前記フレーム（６）が、この起伏機構（１６）によって前記収納溝（１）に収納し得るように構成されている、請求項２に記載の浸水防止装置。
【請求項４】
前記起伏機構（１６）が蝶番（１６）であり、この蝶番（１６）に、前記収納溝（１）側と前記フレーム（６）との間でその蝶番（１６）の軸方向への相対移動を許容する遊び（ｆ）を設け、前記付勢の際に、前記収納溝（１）に対して前記フレーム（６）が前記防水シート（４）に近付くように相対移動し得るようにした、請求項３に記載の浸水防止装置。
【発明の詳細な説明】
【技術分野】
【０００１】
この発明は、建物の出入口を開閉するドアに設けられ、豪雨等によって地面が冠水した際に、その水がドアからその建物内に入り込んで浸水するのを防止する浸水防止装置に関する。
【背景技術】
【０００２】
オフィスビルやマンション等の建物の出入口には、引戸式のドア（自動ドア等）や垂直支持軸周りに回動する回動式のドア等が設けられている。これらのドアには、豪雨等によって地面が冠水した場合の防水対策が採られていない場合が多く、ドアとドア枠の間の隙間や、冠水に伴う水圧によって回動したドアの隙間から、水が建物内に浸入して建物内が浸水する問題が生じ得る。この浸水を防止するために、その出入口に浸水防止装置を設けることがある。
【０００３】
この浸水防止装置として、例えば、特許文献１に示す構成のものがある。この浸水防止装置は、建物等の出入口（例えば地下鉄の地上出入口）の床面の幅方向に亘って形成した収納溝と、この収納溝の両側側壁に埋め込まれた一対の支持枠と、両端が前記一対の支持枠に嵌め入れられつつ、支持枠に沿って昇降する収納溝の蓋体と、出入口からの浸水を防ぐシートとを備えたものである（同文献の図１を参照）。このシートは、上縁が蓋体に、下縁が収納溝にそれぞれ連繋されている。不使用時には、このシートは収納溝内に収納されており、通行の妨げにならないようになっている。そして、冠水時にこのシートを引き上げて、前記一対の支持枠の間に張設し、出入口から水が浸入するのを防止する。
【先行技術文献】
【特許文献】
【０００４】
【特許文献１】特許第３７３８４３５号公報
【発明の概要】
【発明が解決しようとする課題】
【０００５】
建物の出入口に設けられるドアは、本願発明を説明する図１（ａ）に記載のように、その建物の側壁と同一面内に設けられるのが一般的である。この場合、特許文献１に示すように浸水防止装置の支持枠を建物の側壁に埋め込むことができず、建物の内外いずれかの側に、側壁から独立してこの支持枠を設けなければならない。しかしながら、その場合、独立して設けた支持枠と、ドアのドア枠との間に隙間が生じやすく、この隙間から水が浸入して、冠水時に十分な浸水防止機能が発揮できない恐れがある。
【０００６】
そこで、この発明は、冠水時に、建物の出入口からその建物内に水が浸入するのを確実に防止することを課題とする。
【課題を解決するための手段】
【０００７】
上記課題を解決するため、この発明は、建物の出入口の床面に、この出入口の開口幅方向の全体に亘って設けられる収納溝と、前記収納溝の両端から起立して、前記出入口を開閉するドアのドア枠と隙間なく一体に設けられる一対の支持枠と、不使用時に前記収納溝に収納され、使用時に引き上げられて前記一対の支持枠の間に張設される防水シートと、を有する浸水防止装置を構成した。
【０００８】
このようにすれば、ドア枠と支持枠との間に隙間が生じないため、この隙間から建物内に水が浸入するのを確実に防止することができる。ここでいうドア枠は、引戸式ドア、回動式ドア、その他の各種ドアのドア枠を含む。また、「ドア枠と隙間なく一体に設けられる」とは、ドア枠と支持枠を一つの部材で構成した場合の他、ドア枠と支持枠が別部材で構成されており、かつ両枠の間に水密処理が施されていて浸水の原因となる隙間が存在しない構成とした場合も含む。
【０００９】
前記構成においては、引き上げられた前記防水シートの左右両端部を前記支持枠に押し付けるフレームと、前記一対の支持枠の一方の支持枠側から他方の支持枠側に向かう回動軸を備え、この回動軸の回転に伴って前記フレームを前記防水シート側に付勢するカム部材と、を有する構成とするのが好ましい。
【００１０】
このようにすれば、フレームと防水シートとの間の水密を確実なものとすることができ、浸水防止装置としての信頼性が一層向上する。しかも、このカム部材は、付勢作用が生じる作用面と、カム部材の回動軸とが垂直ではなく、本構成のように、この回動軸を作業者側に起立した状態とすることが可能である。このため、このカム部材の操作を容易に行うことができ、豪雨等の発生時に、速やかにかつ確実に、浸水防止装置を機能し得る状態とすることができる。
【００１１】
前記フレームを採用する構成においては、前記フレームの下端に起伏機構が設けられ、前記フレームが、この起伏機構によって前記収納溝に収納し得るように構成するのが好ましい。
【００１２】
このようにすれば、浸水の危険が差し迫ったときにフレームを他の場所から運んでくる必要がなく、収納溝内に収納したフレームを起立させることによって、浸水防止装置としての機能を速やかに発揮できる状態とすることができる。しかも、この装置の不使用時には収納溝に収納しておくため、このフレームが歩行者の通行の妨げとなることはない。
【００１３】
前記起伏機構を設ける構成においては、この起伏機構が蝶番であり、この蝶番に、前記収納溝側と前記フレームとの間でその蝶番の軸方向への相対移動を許容する遊びを設け、前記付勢の際に、前記収納溝に対して前記フレームが前記防水シートに近付くように相対移動し得るようにするのが好ましい。
【００１４】
一般的な蝶番は、この蝶番を介して連結した部材同士をその軸周りに相対回動させるためのものであって、両部材をこの蝶番の軸方向に相対移動させることはできない。この場合、前記カム部材でフレームを付勢したときに、このフレームの前記軸方向の動きが蝶番によって制限されて、フレームによる防水シートの押し付けが不十分となる恐れがある。そこで、このように、蝶番に軸方向の遊びを設けておくことによって、この遊びの幅の分だけフレームの前記軸方向の動きが許容されて、防水シートの押し付けをスムーズに行うことができる。このため、防水シートの両端縁からの水漏れが確実に防止される。
【発明の効果】
【００１５】
この発明では、建物の出入口の幅方向両端から起立して、この出入口に設けたドアのドア枠との間で隙間なく一体に設けられる一対の支持枠を有する浸水防止装置を構成した。この浸水防止装置によると、前記ドア枠と前記支持枠との間の隙間から建物内に水が浸入するのを防止することができ、豪雨等による冠水時に住民等の安全を確実に確保することができる。
【図面の簡単な説明】
【００１６】
【図１】この発明に係る浸水防止装置の第一実施形態（収納状態）を示し、（ａ）は全体の横断面図、（ｂ）は要部の横断面図
【図２】第一実施形態に係る浸水防止装置（収納状態）を側面から見た縦断面図
【図３】第一実施形態に係る浸水防止装置（収納状態）を建物の出入口に設置した状態を示し、（ａ）は正面図、（ｂ）は横断面図
【図４】第一実施形態に係る浸水防止装置（収納状態）を示し、（ａ）は側面から見た部分断面図、（ｂ）は正面から見た縦断面図
【図５】第一実施形態に係る浸水防止装置（収納状態）の要部拡大図を示し、（ａ）は側面から見た縦断面図、（ｂ）は正面から見た縦断面図
【図６】第一実施形態に係る浸水防止装置（収納状態）を示し、（ａ）は全体の斜視図、（ｂ）は要部の斜視図
【図７】第一実施形態に係る浸水防止装置において、フレームを起立させた状態を示し、（ａ）は側面から見た縦断面図、（ｂ）は正面から見た縦断面図
【図８】カム部材によるフレームへの付勢力が生じていない状態を示し、（ａ）は横断面図、（ｂ）はカム部材の側面図
【図９】カム部材によるフレームへの付勢力を生じさせた状態を示し、（ａ）は横断面図、（ｂ）はカム部材の側面図
【図１０】フレーム下端の蝶番の作用を示す要部斜視図
【図１１】第一実施形態に係る浸水防止装置（使用状態）を示し、（ａ）は側面から見た縦断面図、（ｂ）は正面から見た縦断面図
【図１２】この発明に係る浸水防止装置の第二実施形態（収納状態）を示し、（ａ）は全体の横断面図、（ｂ）は要部の横断面図
【図１３】第二実施形態に係る浸水防止装置（収納状態）を側面から見た縦断面図
【図１４】第二実施形態に係る浸水防止装置（収納状態）を建物の出入口に設置した状態を示し、（ａ）は正面図、（ｂ）は横断面図
【図１５】防水シートの張設機構の他例を正面から見た部分断面図
【図１６】防水シートの張設機構の他例の要部を側面から見た縦断面図
【発明を実施するための形態】
【００１７】
本願発明に係る浸水防止装置の第一実施形態を図１から図３に示す。この浸水防止装置は、オフィスビル等の建物の出入口の床面Ｆに、その開口幅方向の全体に亘って設けられる収納溝１と、この収納溝１の両端から起立して、出入口を開閉する回動式のドアＤの左右のドア枠２と一体に形成された一対の支持枠３、３と、不使用時に収納溝１に収納され、使用時に引き上げられて一対の支持枠３、３の間に張設される防水シート４と、を有している。ドア枠２と支持枠３を一体に形成することによって、両枠２、３の間から建物内に浸水するという問題を確実に防止することができる。
【００１８】
収納溝１は、上部が開口した樋状をしており、この開口には着脱自在の踏板５が設けられている。この収納溝１の設置に際しては、床面Ｆに、この収納溝１の深さに相当する深さの穴を予め掘削しておき、この穴内に収納溝１を設けている。このようにすれば、床面Ｆと収納溝１の上部との間に段差がほとんど生じず、歩行者がつまずく恐れがないためである。床面Ｆに段差が生じるのを許容するのであれば、この床面Ｆに穴を掘削せず、収納溝１を直接床面Ｆに設ける工法を採用することもできる。
【００１９】
この収納溝１には、図４に全体図を、図５にその要部の拡大図を、図６に斜視図をそれぞれ示すように、防水シート４が蛇腹状に折り畳まれた状態で、引き上げられた防水シート４の左右両端部を支持枠３に押し付けるフレーム６が倒された状態で、それぞれ収納されている。この防水シート４の下端は、収納溝１の底面に固定されるベース部７の下に挟み込まれて、収納溝１の内側下面と水密状態を保つように密着している。これにより、この防水シート４の下端からの水漏れを防止している。また、防水シート４の上端には、上枠８が設けられている。この上枠８は、外枠９に内枠１０を嵌め込むことによって構成され、防水シート４はこの外枠９と内枠１０の間に挟み込まれている。上枠８を引き上げて、この上枠８の左右両端部に形成された係止孔１１に、支持枠３に設けた後述する係止突起１２を挿し込むことによって、この上枠８が所定の高さに係止されるようになっている。
【００２０】
支持枠３は、上述したようにドア枠２と一体に形成されており、対向する支持枠３側に開口する横断面コの字形の開口凹部１３を有している。この開口凹部１３内には、フレーム６が起立して設けられる。なお、図１中に、起立した状態のフレーム６を仮想線で示している。
【００２１】
フレーム６は、断面ロの字形の角状部材である。このフレーム６には、図７に示すように、その起立した状態において一対の支持枠３、３の一方の支持枠３側から他方の支持枠３側に向かう回動軸１４を備え、この回動軸１４の回動に伴ってフレーム６を防水シート４側に付勢するカム部材１５が設けられている。また、このフレーム６の下端とベース部７との間は蝶番１６で連結され、この浸水防止装置の不使用時には、上述したように、このフレーム６を倒して収納溝１に収納できるようになっている。このようにフレーム６をベース部７と分離することなく一体に構成することで、洪水等の緊急時にこのフレーム６をこの装置から離れた保管場所から運んできて接続する手間が不要となり、この浸水防止装置を速やかに機能させることができる。
【００２２】
このフレーム６には、収納した時の下側の面に脚部１７が、起立させた時の上端に固定部材１８が、防水シート４に臨む面側に横断面山の字形の嵌入部材１９が、その高さ方向の途中２箇所にカム部材１５が、それぞれ設けられている。
【００２３】
脚部１７は、フレーム６を倒して収納した際に、このフレーム６をベース部７から若干浮かせた状態を保ち、ベース部７と固定部材１８が直接接触して破損する等のトラブルが生じるのを防止する役目を有している。その材質は特に限定されないが、ゴム材を用いるのが好適である。
【００２４】
固定部材１８は、突起部２０と、この突起部２０を突出方向に付勢する付勢部材２１とを有している。防水シート４を引き上げて、上枠８を支持枠３に係止した状態でフレーム６を起立させる。そして、固定部材１８の突起部２０を付勢部材２１の付勢力に抗して一旦押し込み、上枠の左右両端部に形成した凹状の受け部２２内で再び突出させる。これにより、フレーム６を起立状態で保持することができる（図７を参照）。
【００２５】
図８に示すように、嵌入部材１９の平行する二つの溝部には、弾性部材２３がそれぞれ設けられている。この山の字形の中央の押圧部２４は、弾性部材２３よりも若干突出している。
【００２６】
この支持枠３には、その開口凹部１３の前記コの字形の一対の内面のうち、一方の面側に弾性部材２５が設けられるとともに、他方の面側に硬質の当接部材２６が設けられている。この弾性部材２５として、同図に示すように、弾性率の異なる弾性部材２５ａ、２５ｂを並べて設ける構成とすることもできる。この支持枠３の開口には開閉自在の扉２７が設けられており、浸水防止装置の不使用時には、この扉２７が閉じられている。
【００２７】
カム部材１５は、回動軸１４と、カム本体２８と、このカム本体２８に回動軸１４を固定する固定ネジ２９と、カム本体２８を保持する保持枠３０とで構成される。この回動軸１４の回転によって、保持枠３０からのカム本体２８の突出量を調節することができる。図８の状態から図９の状態まで回動軸１４を回すと、カム本体２８が保持枠３０の先端側から突出する。そして、この突出したカム本体２８が当接部材２６と当接して、保持枠３０が当接部材２６と逆方向に変位し、この変位に伴ってフレーム６が防水シート４側に付勢される。この付勢によって嵌入部材１９の押圧部２４が、防水シート４を巻き込みつつ弾性部材２５側に押し付けられ、この防水シート４の端縁部の水密が確保される。
【００２８】
この回動軸１４はカム本体２８に対して垂直に、すなわち作業者側に起立している。このため、その回転操作を容易に行うことができるとともに、工具による十分な締め付け力を得ることができ、洪水等の緊急時に、速やかにかつ確実に、この浸水防止装置を機能させることができる。
【００２９】
蝶番１６には、図１０に示すように、その回動軸に遊びｆが設けられている。この遊びｆによって、フレーム６がベース部７に対して、その回動軸方向に相対移動し得るようになっている。また、このフレーム６を起立状態で保持する受け部２２は、フレーム６が収納溝１に収納される方向に不用意に回動する（倒れる）のを阻止する一方で、カム部材１５によるフレーム６の付勢に伴って、このフレーム６が防水シート４側に押し込まれるのを許容する程度のゆとりをもって形成されている。このように、蝶番１６に遊びｆを設けるとともに、受け部２２にゆとりをもって構成することにより、カム部材１５の回動軸１４を回して、フレーム６全体をスムーズに防水シート４側に変位させて、この防水シート４を支持枠３に押し付けることができる。このため、この防水シート４の左右両端縁の水密が一層確実なものとなる。
【００３０】
出入口の間口が広い場合は、支持枠３間に一本又は二本以上の支柱（マリオン）を設け、この支柱に、防水シート４にかかる水圧の一部を分散させるのが好ましい。このようにすれば、この水圧によって両支持枠３、３で挟み込んだ防水シート４に過剰な負荷がかかるのを防止することができ、この負荷に起因して水密性が損なわれるのを防止できるためである。
【００３１】
この第一実施形態に係る浸水防止装置のように、ドアＤのドア枠２と支持枠３とを一体に成形するとともに、防水シート４を両支持枠３、３の間に張設することにより、水が建物内に浸入するのを防止することができる。この実施形態においては、防水シート４の左右の端部をフレーム６で支持枠に押し付け、この押し付けによってこの防水シート４の両端からの水の浸入を防止する構成としたが、この水の浸入を防止できる限りにおいて、フレーム６の設置を省略することもできる。また、ドア枠２と支持枠３を別部材で構成しつつ、両者の間に水が浸入する隙間が生じないように水密を確保するように構成することもできる。
【００３２】
この第一実施形態に係る浸水防止装置の設置手順を説明する。
【００３３】
まず、収納溝１の開口を覆う踏板５を取り外し、この収納溝１に収納されている防水シート４を、この防水シート４の上部に固定された上枠８を手で持って引き上げる。そして、その上枠８に形成された係止孔１１に、支持枠３に形成された係止突起１２を挿し込む。これにより、防水シート４及び上枠８が所定の高さに係止される。
【００３４】
次に、収納溝１に収納されているフレーム６を起立させて、このフレーム６の上端に設けられた固定部材１８の突起部２０を上枠８の受け部２２で係止する。さらに、本装置に付属の工具を用いてカム部材１５の回動軸１４を回転させて、カム本体２８を保持枠３０から突出させて当接部材２６に当接させ、フレーム６（嵌入部材１９）を防水シート４側に押し付ける。これにより、防水シート４の左右両端縁が支持枠３と密接して、出入口両端の支持枠３間と防水シート４との間の水密が確保される（図１１を参照）。
【００３５】
本願発明に係る浸水防止装置の第二実施形態を図１２から図１４に示す。第一実施形態においては、回動式のドアＤのドア枠２と支持枠３とを一体に形成したのに対して、この第二実施形態においては、引戸式のドアＤ（この実施形態では自動ドア）のドア枠２と支持枠３とを一体に形成している。この実施形態においては、収納溝１に杭部材３１が設けられており、この杭部材３１が床面下側の土壌中に挿し込まれることによって、この収納溝１をしっかりと固定している。また、収納溝１の底部には、この収納溝１の内外を貫通する貫通孔３２が形成されており、収納溝１内に雨水等が流れ込んだ際に、その水が速やかに排水されるようになっている。もちろん、この杭部材３１、貫通孔３２を設けない構成とすることもできる。
【００３６】
上記の各実施形態においては、防水シート４を手で持って引き上げる持ち上げ方式を採用しているが、図１５に示すように、ウォームギア３３及び滑車３４を用いた巻き上げ方式とすることもできる。この巻き上げ方式も持ち上げ方式と同様に、防水シート４は蛇腹状に折り畳まれ、その上端には上枠８が設けられている。この上枠８の左右両端縁には、ワイヤ３５を連結するフック３６が設けられている。また、支持枠３の一方側には、ワイヤ３５を巻き取る巻き取り装置３７が設けられている。この巻き取り装置３７はウォーム３８とウォームホイール３９から構成されるウォームギア３３を備え、ハンドル４０を回してウォーム３８を回転させることによって、一方のフック３６に連結された第一ワイヤ３５ａと、他方のフック３６に三つの滑車３４、３４、３４を介して連結された第二ワイヤ３５ｂを、同軸にかつ互いに交差しないようにドラム４１に巻き取るようにしている（図１６を参照）。このように構成することで、上枠８の水平を保ちながら、防水シート４を張設することができる。
【００３７】
第一及び第二実施形態に示した浸水防止装置はあくまでも一例であって、ドア枠２と支持枠３との間の隙間からの浸水を防止するという本願発明の課題を解決し得る限りにおいて、これ以外のドア形式についても適用することができる。
【符号の説明】
【００３８】
１  収納溝
２  ドア枠
３  支持枠
４  防水シート
５  踏板
６  フレーム
７  ベース部
８  上枠
９  外枠
１０  内枠
１１  係止孔
１２  係止突起
１３  開口凹部
１４  回動軸
１５  カム部材
１６  蝶番（起伏機構）
１７  脚部
１８  固定部材
１９  嵌入部材
２０  突起部
２１  付勢部材
２２  受け部
２３  （嵌入部材に設けられた）弾性部材
２４  押圧部
２５（２５ａ、２５ｂ）  （支持枠に設けられた）弾性部材
２６  当接部材
２７  扉
２８  カム本体
２９  固定ネジ
３０  保持枠
３１  杭部材
３２  貫通孔
３３  ウォームギア
３４  滑車
３５（３５ａ、３５ｂ）  ワイヤ
３６  フック
３７  巻き取り装置
３８  ウォーム
３９  ウォームホイール
４０  ハンドル
４１  ドラム
Ｄ  ドア
Ｆ  床面
【図１】
2014173238.tif 000003
【図２】
2014173238.tif 000004
【図３】
2014173238.tif 000005
【図４】
2014173238.tif 000006
【図５】
2014173238.tif 000007
【図６】
2014173238.tif 000008
【図７】
2014173238.tif 000009
【図８】
2014173238.tif 000010
【図９】
2014173238.tif 000011
【図１０】
2014173238.tif 000012
【図１１】
2014173238.tif 000013
【図１２】
2014173238.tif 000014
【図１３】
2014173238.tif 000015
【図１４】
2014173238.tif 000016
【図１５】
2014173238.tif 000017
【図１６】
2014173238.tif 000018